(57)【要約】      （修正有）【課題】パターゴルフを行うことができるようにすることにより、ゲートボール人口を維持又は増大させ、かつ、ゲートボールを行う人とゴルフを行う人との交流を高め、ゲートボール場などのスペースを利用したパターゴルフ場を提供する。【解決手段】表面が人工芝にて形成され、打ち出し領域部と標的部とを有する長方形の複数のパターゴルフ用マットと、マットを敷設するための所定広さを有する長方形のグランドとから構成され、グランドには、その所定広さの領域を区画するラインが設けられ、そのラインの内外のいずれかに、そのラインに沿ってマットが敷設され、マットの裏面に配置して、マットに勾配を付与するための挿入板を備え、マットの打ち出し領域側に載置され、ゴルフボールの打ち出し地点を表示するマーカーと、マットの側方又は標的部周辺に配置され、ゴルフボールの到達地点におけるルール上の取り決めを認識させる標示具とを備えた構成とした。【選択図】図４
2006055542.tif 000002
【特許請求の範囲】
【請求項１】
表面が人工芝にて形成され、打ち出し領域部と標的部とを有する長方形の複数のパターゴルフ用マットと、前記パターゴルフ用マットを敷設するための所定広さを有する長方形のグランドとから構成され、
前記複数のパターゴルフ用マットが、前記グランドにおいて、１つのパターゴルフ用マットの標的部側に対して、次に敷設するパターゴルフ用マットの打ち出し領域部側が近くなるように順次敷設したことを特徴とするパターゴルフ場設備。
【請求項２】
グランドには、その所定広さの領域を区画するラインが設けられ、そのラインの内側において、そのラインに沿ってパターゴルフ用マットが敷設されることを特徴とする請求項１に記載のパターゴルフ場設備。
【請求項３】
グランドには、その所定広さの領域を区画するラインが設けられ、そのラインの外側において、そのラインに沿ってパターゴルフ用マットが敷設されることを特徴とする請求項１に記載のパターゴルフ場設備。
【請求項４】
パターゴルフ用マットの裏面に配置して、パターゴルフ用マットに勾配や高低を付与するための挿入板を備えたことを特徴とする請求項１〜３のいずれか１項に記載のパターゴルフ場設備。
【請求項５】
パターゴルフ用マットの打ち出し領域側に載置され、ゴルフボールの打ち出し地点を表示するマーカーと、パターゴルフ用マットの側方又は標的部周辺に配置され、ゴルフボールの到達地点における競技ルール上の取り決めを認識させる標示具とを備えたことを特徴とする請求項１〜４のいずれ１項に記載のパターゴルフ場設備。
【発明の詳細な説明】
【技術分野】
【０００１】
本発明は、パターゴルフ場の設備に関し、特に、ゲートボール場などの広場や、公園、空き地及び広い屋内を利用して、簡単に設置できるパターゴルフ場の設備に関する。
【背景技術】
【０００２】
パターゴルフ場は、ゴルフ練習場に併設されていたり、また、観光ホテルなどの付属施設として設置されている。しかしながら、パターゴルフを行うためにゴルフ練習場まで出向くことは少なく、また、観光ホテルの周辺には、パターゴルフ場以外の娯楽施設が併設されていることが多く、しかも、観光名所を訪れる人がほとんどであるため、ゴルフ人口が多い割にはパターゴルフ場でパターゴルフに興ずる人は少ないのが現状である。
【０００３】
また、パターの練習具として、長方形の人工芝の一端を上傾させ、標的であるカップ状の凹部を形成したものが一般に知られており、このようなパターの練習具を購入してパターの練習を行った経験のある人が多く見られるが、このようなパター練習具は単純で面白さに欠け、しかも競技性がないために、すぐに飽きてしまうのが現状である。
【０００４】
ところで、公園や広場などにゲートボール場が公共施設として随所に設置されているが、近年、ゲートボールを楽しむ人が減少気味であり、競技人員を揃えることが難しくなってきていることから、さらにその減少に拍車がかかっている。したがって、ゲートボール場が使用されないまま放置されていることが多いのが現状である。
【発明の開示】
【発明が解決しようとする課題】
【０００５】
そこで、本発明者は、必要に応じてゲートボールを行うことができ、また、パターゴルフを行うことができるようにすることにより、ゲートボール人口を維持又は増大させ、かつ、ゲートボールを行う人とゴルフを行う人との交流を高め、もって公共施設の利用度を増大させるために、ゲートボール場などのスペースを利用し、かつ趣向を凝らした競技性の豊かなパターゴルフ場の設備を開発した。
【課題を解決するための手段】
【０００６】
本発明に係るパターゴルフ場の設備は、表面が人工芝にて形成され、打ち出し領域部と標的部とを有する長方形の複数のパターゴルフ用マットと、前記パターゴルフ用マットを敷設するための所定広さを有する長方形のグランドとから構成され、前記複数のパターゴルフ用マットが、前記グランドにおいて、１つのパターゴルフ用マットの標的部側に対して、次に敷設するパターゴルフ用マットの打ち出し領域部側が近くなるように順次敷設したことを特徴とするものである。
【０００７】
上記のように構成することにより、グランド上に複数のパターゴルフ用マットが敷設されるので、種類を豊富にすれば複数のパターゴルフを楽しめて、飽きない利点がある。しかも、１つのパターゴルフ用マットの標的部側に対して、次に敷設するパターゴルフ用マットの打ち出し領域部側が近くなるように順次敷設しているので、１つのパターゴルフ用マットにおいて、その打ち出し領域部からパットを行い、標的部に競技者全員のゴルフボールが達した時点で１ホールが終了した後、次のホールへ連続的に移動でき、後戻りするようなことがないので、時間の節約が図れる。
【０００８】
また、上記のグランドには、その所定広さの領域を区画するラインが設けられ、そのラインの内側において、そのラインに沿ってパターゴルフ用マットが敷設されるように構成してもよく、また、そのラインの数十ｃｍ外側において、そのラインに沿ってパターゴルフ用マットが敷設されるように構成してもよい。
【０００９】
上記のように構成すると、前記のラインとして、例えばゲートボール場などに設置されているラインを使用すると便利であり、パターゴルフ用マットを敷設しやすい利点がある。また、ラインの外側にパターゴルフ用マットを敷設した場合には、ゲートボールを同時に楽しめる利点がある。
【００１０】
さらに、上記のパターゴルフ用マットの裏面に配置して、パターゴルフ用マットに勾配や高低を付与するための挿入板を備えた構成としてもよい。
【００１１】
このように構成すると、挿入板をパターゴルフ用マットの裏面に適宜配置することにより、パターゴルフ用マットに種々の傾斜をつけることができるので、難易度の差をつけることができて、より一層趣向に富んだパターゴルフが楽しめる利点がある。
【００１２】
さらにまた、上記のパターゴルフ用マットの打ち出し領域側に載置され、ゴルフボールの打ち出し地点を表示するマーカーと、パターゴルフ用マットの側方又は標的部周辺に配置され、ゴルフボールの到達地点における競技ルール上の取り決めを認識させる標示具とを備えた構成としてもよい。
【００１３】
上記のように構成した場合には、バターの得手不得手により、ハンディとしてゴルフボールの打ち出し地点を変えることができるので、公平なパターゴルフが楽しめる。しかも、パッティングしたゴルフボールが、標的部から大きく逸れて、標示具の位置を越えた場合などには、その競技者にペナルティーを与えて、ゴルフボールの位置を戻したり、適宜の位置に移動することができるようにすると、競技性に深さが増し、かつ、競争心をあおるので、さらにパターゴルフを楽しむことができる。
【発明の効果】
【００１４】
本発明は、上記のようにパターゴルフ場設備を構成したので、ゲートボール場などのスペースを利用し、趣向を凝らした競技性の豊かなパターゴルフが楽しめる。したがって、必要に応じてゲートボールを行うことが可能であり、また、パターゴルフを行うことが可能であるため、ゲートボール人口を維持又は増大させる効果があると共に、ゴルフの趣味はあるけれどもゲートボールの趣味がない人が本発明によるパターゴルフを楽しむことができるので、ゲートボールを行う人とゴルフを行う人との交流を高めることができる。したがって、これらの効果により公共施設の利用度を増大させることができるので、本発明は社会的貢献度が極めて高い発明である。
【発明を実施するための最良の形態】
【００１５】
以下に、本発明の好適な実施例を添付の図面に基づいて詳細に説明する。
【００１６】
図１は本実施例に係るパターゴルフ場設備において使用するパターゴルフ用マットの斜視図であり、図２は前記パターゴルフ用マットの変更例であり、図３は図２の設置状態を示す側面図であり、図４はグランドにパターゴルフ用マットを４ホール分敷設した状態を示す平面図であり、図５は挿入板の斜視図であり、図６はマーカーの斜視図であり、図７は色別標示具の斜視図であり、図８は挿入板と色別標示具とを一体化した競技具の斜視図であり、図９は大型挿入板の斜視図であり、図１０は屋内、屋外に設置されたゲートボール場をこのパターゴルフ場専用のグランドとして、９ホール分のパターゴルフ用マットを敷設した状態を示す平面図である。
【００１７】
本実施例に係るパターゴルフ場の設備は、主として、パターゴルフ用マットＡと、パターゴルフ用マットを敷設するためのグランドＢと、パターゴルフ用マットに勾配又は高低を付与するための挿入板Ｃと、ゴルフボールの打ち出し地点を表示するマーカーＤと、パターゴルフの競技ルール上の取り決めを認識させる標示具Ｅとから構成される。
【００１８】
パターゴルフ用マットＡは、図１に示されるように、その表面をゴルフ場グリーンの天然芝に近い感覚を得るために人工芝１で覆ったものであり、幅が４０〜４００ｃｍで長さが２〜２０ｍの長方形の形状をなしている。当該パターゴルフ用マットＡは、その一端である厚みが数ｍｍから数十ｍｍの扁平な打ち出し領域部２と、打ち出し領域部２に連続する傾斜面３と、傾斜面３に連続する他端に位置する上段部４とを有しており、上段部４には、カップを埋め込んだ標的部５が設けられている。
【００１９】
図２及び図３に示すパターゴルフ用マットＡ’は、上記のパターゴルフ用マットＡの変更例であり、その表面はゴルフ場グリーンの天然芝に近い感覚を得るために人工芝１’で覆われており、幅が４０〜４００ｃｍで長さが２〜２０ｍで厚みが数ｍｍから数十ｍｍの扁平な長方形の形状をなしている。当該パターゴルフ用マットＡ’は、その一端である打ち出し領域部２’と、他端に標的部５’とを備えており、標的部５’は、適宜位置に形成したカップ装着用穴５’ａと、カップ装着穴５’ａが装着され、土中や床に埋め込まれるカップ５’ｂとから構成されている。このパターゴルフ用マットＡ’は、以下の説明におけるパターゴルフ用マットＡに代えて使用することが可能である。
【００２０】
なお、上記パターゴルフ用マットＡ，Ａ’において、打ち出し領域部２，２’と標的部５，５’との距離を長くするために、打ち出し領域部２，２’に継ぎ足すことができる延長用の補助マットを使用するようにしてもよい。
【００２１】
上記パターゴルフ用マットＡ，Ａ’を敷設するためのグランドＢは、幅１５〜２０ｍ、長さ２０〜２５ｍの広さを有する長方形なしている。また、その領域を区画するライン１０が設けられており、本実施例においては、ゲートボール場に設置されているラインをそのまま使用している。このようにライン１０を設けておくと、パターゴルフ用マットを敷設しやすい利点があり、ゲートボール場などに設置されているラインを使用すると便利である。
【００２２】
このグランドＢに、図４に示すように、上記のライン１０の内側において、そのライン１０に沿って４枚のパターゴルフ用マットＡが敷設されている。各パターゴルフ用マットＡをそれぞれＡ１，Ａ２，Ａ３，Ａ４とすると、１つのパターゴルフ用マットＡ１の標的部５側に対して、次に敷設するパターゴルフ用マットＡ２の打ち出し領域部２側が近くなるようにパターゴルフ用マットＡ２を敷設する。同様にして、パターゴルフ用マットＡ２の標的部５側に対して、次に敷設するパターゴルフ用マットＡ３の打ち出し領域部２側が近くなるようにパターゴルフ用マットＡ３を敷設し、パターゴルフ用マットＡ３の標的部５側に対して、次に敷設するパターゴルフ用マットＡ４の打ち出し領域部２側が近くなるようにパターゴルフ用マットＡ４を敷設する。なお、本実施例においては４枚のパターゴルフ用マットＡを敷設する例を示したが、これに限られるものではなく、それ以上又は以下の枚数、例えば５枚から９枚のパターゴルフ用マットＡを敷設するように設計してもよい。また、本実施例においてはライン１０の内側にパターゴルフ用マットＡ１，Ａ２，Ａ３，Ａ４を敷設したが、ライン１０の数十ｃｍ外側において、そのライン１０に沿ってパターゴルフ用マットＡを敷設してもよく、その場合には、ゲートボールを同時に楽しめる。
【００２３】
上記のようにパターゴルフ用マットＡ及びグランドＢを構成することにより、グランドＢ上に複数のパターゴルフ用マットＡ１，Ａ２，Ａ３，Ａ４が敷設されるので、ホールの種類を豊富にすれば複数のパターゴルフを楽しめて、飽きが来ない。しかも、１つのパターゴルフ用マットＡ１の標的部側５に対して、次に敷設するパターゴルフ用マットＡ２の打ち出し領域部２側が近くなるように順次敷設しているので、１つのパターゴルフ用マットＡ１において、その打ち出し領域部２からパットを行い、標的部５に競技者のゴルフボールが達してそのホールが終了した時点で、次のホールすなわち、パターゴルフ用マットＡ２の打ち出し領域部２へ連続的に移動でき、後戻りするようなことがない。なお、図４に示す本実施例のように４ホール敷設した場合は、この４ホールを４周半回って１８ホールとするか、若しくはゲートボールと同様に３０分間で１ゲーム終了とするようなルールを作って競技性を高める。
【００２４】
図５は、挿入板Ｃを示し、この挿入板Ｃは、パターゴルフ用マットＡの裏面に配置して、パターゴルフ用マットＡに勾配や高低を付与するためのものであり、厚みが５〜１５ｍｍの長板状をなしている。この挿入板Ｃをパターゴルフ用マットＡの裏面に適宜配置することにより、パターゴルフ用マットＡに種々の傾斜をつけることができるので、難易度の差をつけることができて、より一層趣向に富んだパターゴルフが楽しめる。なお、挿入板Ｃの形状はこれに限られるものではなく、パターゴルフ用マットに傾斜をつけることができるものであれば、どのような形状のものでもよい。また、材質も木製・金属製・樹脂製等種々のもが使用できる。
【００２５】
図６は、ゴルフボールの打ち出し地点を表示するためのマーカーＤであって、扁平な円板状をなしており、２つ１組で使用する。このマーカーＤは、パターゴルフ用マットＡの打ち出し領域部２側の両側に載置され、競技者がこのマーカーＤを基準にしてゴルフボールを打ち出す。なお、マーカーＤはパターゴルフ用マットＡ上を容易に移動しないようにしておくことが好ましく、マーカーＤをやや重めに形成して移動しないようにしたり、マーカーＤの裏面にピンを取着して滑らないようにすることが考えられる。このマーカーＤとして、青マーカーＤ１、白マーカーＤ２、赤マーカーＤ３を揃えておき、図４に示すように、パターゴルフ用マットＡ１及びパターゴルフ用マットＡ３において、標的部５に対して遠い位置に青マーカーＤ１を配置し、中間位置に白マーカーＤ２を配置し、近い位置に赤マーカーＤ３を配置し、上級者は青マーカーＤ１の位置からゴルフボールを打ち出し、中級者は白マーカーＤ２の位置からゴルフボールを打ち出し、初心者は赤マーカーＤ３の位置からゴルフボールを打ち出すように取り決めれば、初心者や中級者にハンディを与えることができ、初心者、中級者、上級者の各腕前に関係なく対等に競技を行うことができるので、競技に深みが増す。なお、打ち出し領域部２から標的部５までの距離が近いホール、すなわち図４に示すパターゴルフ用マットＡ２及びパターゴルフ用マットＡ４においては、青マーカーＤ１と白マーカーＤ２を同一地点とし、青マーカーＤ１と赤マーカーＤ３とを使用するようにしてもよい。また何らかの基準により数値化したハンディを取り決め、パターゴルフが上達すればハンディが少なくなるようにすれば、通常のゴルフ競技と同様の感覚で競技ができ、向上心を煽ることができて面白味が増す。なお、図４に示す黄マーカーＤ４は、後述するように打ち出したゴルフボールが標示具Ｅを越えた場合に適用されるルールに従って、ボールを移動しなければならない所定位置を定めるものであり、該黄マーカーＤ４が配置される位置は打ち出し領域部２に限られものではなく、通常、初級者が打ち出す位置を定める赤マーカーＤ３の位置よりも標的部５に近い位置に配置される。
【００２６】
図７は、標示具Ｅを示し、この標示具Ｅは、立方体や直方体などの立体形状をなしており、打ち出されたゴルフボールの到達地点におけるルール上の取り決めを認識させるためのものであって、この標示具Ｅとして、青標示具Ｅ１、白標示具Ｅ２、赤標示具Ｅ３を揃えておき、図４に示すようにパターゴルフ用マットＡの側方又は標的部５の周辺に配置して使用する。そして、打ち出したゴルフボールがこれらの標示具Ｅを越える位置に到達したときには、その標示具Ｅの色に応じた罰則及びゴルフボールの移動方法等のルールを決めておき、そのルールに従って競技を進行するようにする。例えば、青標示具Ｅ１の左側を越えた場合には、無罰で所定位置に移動し、その位置から打ち出すことに決め、白標示具Ｅ２の奥か、右側を越えた場合には、１打罰を加え元の位置から第３打を打ち直すことに決め、赤標示具Ｅ３の左側を越えた場合には１打罰で所定位置に移動し、その位置から打ち出すことに決める。このようなルールを決めて競技を行うと、より一層パターゴルフを楽しむことができ、競技性が増大する。
【００２７】
図８は、上記挿入板Ｃの機能を果たす挿入部Ｃ’と、上記標示具Ｅの機能を果たす標示部Ｅ’とを備えた競技具Ｆであり、挿入部Ｃ’は長板状をなしており、標示部Ｅ’は立方体形状をなしており、挿入部Ｃ’の一端部側に積み重ねられて競技具Ｆが構成されている。この競技具Ｆは、標示部Ｅ２に配置し、挿入部Ｃ’をパターゴルフ用マットＡの標的部裏側に適宜挿入して使用する。このような組み合わせてなる競技具Ｆを使用すれば、パターゴルフ競技のための付属品が少なくて済む利点がある。
【００２８】
図９に示す大型挿入板Ｃ１は、上記の挿入板Ｃの変更例であり、厚さが５〜１５ｍｍで、幅が９１ｃｍ、長さが１８０ｃｍの大きさのベニヤ板からなるものであり、この大型挿入板Ｃ１をパターゴルフ用マットＡの下に適宜に敷くことにより、パターゴルフ用マットＡに下り傾斜面や上り傾斜面を形成するものである。また、この大型挿入板Ｃ１の下に上記挿入板Ｃを配することにより、傾斜面の傾斜角や傾斜方向を適宜変更するようにしてもよい。さらに、この大型挿入板Ｃ１を適宜移動して、パターゴルフ用マットＡに変化のある傾斜面を形成することにより、パターゴルフ競技の面白さを倍増させることができる。なお、この変更例に見るように挿入板は種々の形態のもが使用できる。
【００２９】
図１０は、屋内、屋外のゲートボール場をこのパターゴルフ場専用のグランドＢ１として、９ホール分のパターゴルフ用マットＡ１１〜Ａ１９を敷設した例を示すものであり、このグランドＢ１の大きさは幅１５ｍ、長さ２０ｍの長方形である。このようなパターゴルフ用マットＡ１１〜Ａ１９の配置の仕方においても、１つのパターゴルフ用マットの標的部５側に対して、次に敷設するパターゴルフ用マットの打ち出し領域部２側が近くなるように順次敷設しているので、１つのパターゴルフ用マットにおいて、その打ち出し領域部２からパットを行い、標的部に競技者全員のゴルフボールが達した時点で１ホールが終了した後、次のホールにおける打ち出し領域部２へ連続的に移動でき、後戻りするようなことがないので、時間の節約が図れる。図１０に示す例においては、通常のゴルフ競技が１８ホールで競われるところを、その半分の９ホールとなっている。したがって、さらに別のグランドを付設し、そのグランドにも９ホール分のパターゴルフ用マットを敷設すれば、合計１８ホールとなり、通常のゴルフ競技と同様のホール数にすることができる。このように１８ホールにする場合でも、１５ｍ×２０ｍを２面とれるだけの広さがあれば可能であり、通常の体育館であれば、この広さの条件を十分に満たしているため、雨天の場合でも簡単にパターゴルフを行うことができるので便利である。したがって、天候に関わりなく多くの人がゴルフを楽しめ、健康増進はもちろん人的交流の向上にも寄与するものである。なお、１面の９ホールの場合は２回回って１８ホールとする。
【００３０】
以上のように、挿入板Ｃ、マーカーＤ、標示具Ｅ、あるいは競技具Ｆを使用して競技を行うと、パターゴルフ用マットＡに傾斜を与えることにより、変化のある競技が楽しめて飽きが来ず、また、バターの得手不得手により、ハンディとしてゴルフボールの打ち出し地点を変えることができ、しかも、パッティングしたゴルフボールが、標的部から大きく逸して、標示具の位置を越えた場合などには、その競技者にペナルティーを与えて、ゴルフボールの位置を戻したり、適宜の位置に移動することができるので、競技性に深さが増し、かつ、競争心を煽るので、さらにパターゴルフを楽しむことができる。
【００３１】
なお、上記の実施例においては、ゲートボール場のライン内側を使用する場合を説明したが、その場合は、このパターゴルフ場の設備を取り払えば、ゲートボール競技を行うことができる。また、ゲートボール場のライン外を使用する場合は、このパターゴルフ場の設備を使用してバターゴルフ競技を行うと同時に他の競技者がゲートボール競技を行うことが可能である。したがって、ゲートボール愛好家もゴルフ愛好家もこのパターゴルフ場の設備を備えたゲートボール場で、それぞれの趣味に応じて競技を楽しむことができ、また、自然に他の競技にも興味を抱くようになって、いずれの競技にも参加するようになり、このような競技を通じて人の交流が高まる。なお、ゲートボールの試合は、競技者が双方で７名ずつ、審判が２名の計１６名を最低必要とするが、このパターゴルフは２人からでも試合ができるので、人集めの苦労が不要となり、老人たちには、楽しみが多い憩いの場所となる。
【００３２】
したがって、本実施例におけるパターゴルフ場の設備を利用すれば、今日利用が減ってきているゲートボール場などのスペースを利用し、趣向を凝らした競技性の豊かなパターゴルフが楽しめ、必要に応じてゲートボールを行うことが可能であり、また、パターゴルフを行うことが可能であるため、ゲートボール人口を維持するのみならず増大させる効果があると共に、ゴルフの趣味はあるけれどもゲートボールの趣味がない人が本発明によるパターゴルフを楽しむことができるので、ゲートボールを行う人とゴルフを行う人との交流を高めることができる。したがって、これらの効果により公共施設が頻繁に利用されるようになり、人の交流や情報交換の場ができるので、今後深刻化される老齢化社会においても、活発で意欲のある生活を営むことができるようになる。
【図面の簡単な説明】
【００３３】
【図１】本実施例に係るパターゴルフ場設備において使用するパターゴルフ用マットの斜視図である。
【図２】前記パターゴルフ用マットの変更例である。
【図３】図２の設置状態を示す側面図である。
【図４】グランドにパターゴルフ用マットを敷設した状態を示す平面図である。
【図５】挿入板の斜視図である。
【図６】マーカーの斜視図である。
【図７】標示具の斜視図である。
【図８】挿入板と標示具とを一体化した競技具の斜視図である。
【図９】大型挿入板の斜視図である。
【図１０】屋内、屋外に設置されたゲートボール場をパターゴルフ専用のグランドとして、９ホール分のパターゴルフ用マットを敷設した状態を示す平面図である。
【符号の説明】
【００３４】
Ａ・・・パターゴルフ用マット    １・・・人工芝
２・・・打ち出し領域部          ３・・・傾斜面
４・・・上段部                  ５・・・標的部
Ａ’・・パターゴルフ用マット    １’・・人工芝
２’・・打ち出し領域部          ５’・・標的部
５’ａ・カップ装着用穴          ５’ｂ・カップ
Ａ１・・パターゴルフ用マット    Ａ２・・パターゴルフ用マット
Ａ３・・パターゴルフ用マット    Ａ４・・パターゴルフ用マット
Ｂ・・・グランド                １０・・ライン
Ｃ・・・挿入板                  Ｄ・・・マーカー
Ｄ１・・青マーカー              Ｄ２・・白マーカー
Ｄ３・・赤マーカー              Ｄ４・・黄マーカー
Ｅ・・・標示具
Ｅ１・・青標示具                Ｅ２・・白標示具
Ｅ３・・赤標示具                Ｆ・・・競技具
Ｃ’・・挿入部                  Ｅ’・・標示部
Ｃ１・・大型挿入板
Ｂ１・・グランド
Ａ１１〜Ａ１９・・パターゴルフ用マット
【図１】
2006055542.tif 000003
【図２】
2006055542.tif 000004
【図３】
2006055542.tif 000005
【図４】
2006055542.tif 000006
【図５】
2006055542.tif 000007
【図６】
2006055542.tif 000008
【図７】
2006055542.tif 000009
【図８】
2006055542.tif 000010
【図９】
2006055542.tif 000011
【図１０】
2006055542.tif 000012